(57)【要約】【課題】ごみの分別をきわめて分かり易く認識することができる。【解決手段】中心部にごみの大別を区画表示する第１の円形区分表示部５と、この第１の円形区分表示部５の外側に対し該第１の円形区分表示部５に対応する収集方法を区画表示する第２の円形区分表示部６と、この第２の円形区分表示部６の外側に対し第１及び第２の円形区分表示部５、６と関連したごみの各種類をイラストで区画表示する第３の円形区分表示部７と、この第３の円形区分表示部７の外側に対し該第３の円形区分表示部７で表示されたごみの種類を文字で区画表示する第４の円形区分表示部８とを円図形として表示して構成する。【選択図】　図１
2004046369.tif 000002
【特許請求の範囲】
【請求項１】
中心部にごみの大別を区画表示する第１の円形区分表示部と、この第１の円形区分表示部の外側に対し該第１の円形区分表示部に対応する収集方法を区画表示する第２の円形区分表示部と、この第２の円形区分表示部の外側に対し第１及び第２の円形区分表示部と関連したごみの各種類をイラストで区画表示する第３の円形区分表示部と、この第３の円形区分表示部の外側に対し該第３の円形区分表示部で表示されたごみの種類を文字で区画表示する第４の円形区分表示部とを円図形として表示したことを特徴とするごみ収集分別表。
【請求項２】
請求項１記載のごみ収集分別表であって、週間若しくは月表のカレンダを設けるとともに、前記第４の円形区分表示部を色分けし、該色分けした同色のシール等の表示手段を前記週間若しくは月表のカレンダに付して当該ごみの収集日を表示可能としたことを特徴とするごみ収集分別表。
【発明の詳細な説明】
【０００１】
【発明が属する技術分野】
本発明は、とくに、一般家庭において排出されるごみの収集に関連するごみ収集分別表に関するものである。
【０００２】
【従来の技術】
さて、従来、この種のごみ収集分別表にあっては、各市町村等において種々作成されており、例えば、ごみの種類に対応して分別マニュアルを冊子状態にして作成されたり、また、ごみの各種類毎にまとめ、これを一枚の紙等に収集日とともに表示したものがある。
【０００３】
【発明が解決しようとする課題】
しかしながら、上記従来にあって、前者のものにあっては、冊子状態であるため、複雑で分かりにくく、分別する際に、どのようなごみの種類に該当するかを調べるのに面倒になってしまうものであり、また、両者ともごみを分別して収集場所に出す収集日と連携した表示がなされていないため、適切にごみの収集日に出されなく、収集されないごみが収集場所にそのまま放置されるという状態が頻繁に発生していた。
そこで、本発明は、上記した従来の問題手点に鑑み、ごみの分別をきわめて分かり易く認識することができるごみ収集分別表を提供することにある。
【０００４】
【課題を解決するための手段】
上記した目的を達成するために、請求項１に記載の発明は、中心部にごみの大別を区画表示する第１の円形区分表示部と、この第１の円形区分表示部の外側に対し該第１の円形区分表示部に対応する収集方法を区画表示する第２の円形区分表示部と、この第２の円形区分表示部の外側に対し第１及び第２の円形区分表示部と関連したごみの各種類をイラストで区画表示する第３の円形区分表示部と、この第３の円形区分表示部の外側に対し該第３の円形区分表示部で表示されたごみの種類を文字で区画表示する第４の円形区分表示部とを円図形として表示したことを要旨とするものである。
【０００５】
この構成によれば、ごみの大別区分から該大別区分に関係したごみの各種類毎及び収集方法等に区分し、これを中心から広がる円図形により表示することにより、種々のごみの的確な分別処理を使用者に分かり易く認識させることができるものである。
【０００６】
また、請求項２に記載の発明は、請求項１記載のごみ収集分別表であって、週間若しくは月表のカレンダを設けるとともに、前記第４の円形区分表示部を色分けし、該色分けした同色のシール等の表示手段を前記週間若しくは月表のカレンダに付して当該ごみの収集日を表示可能としたことを要旨とするものである。
【０００７】
この構成によれば、種々のごみの収集日及び収集方法を使用者に分かり易く、的確に認識させることができるものである。
【０００８】
【発明の実施の形態】
以下、本発明を具体化した実施の形態を図にしたがって詳述する。
図２に示すように、ごみ収集分別表１は、矩形状に形成された所望の厚さの台紙２と、該台紙２の表面に対しラミネート加工により一体状に貼着されかつごみ収集分別表示部３が印刷された表示紙４とから構成されている。
【０００９】
なお、前記台紙２にあっては、厚紙又は合成樹脂板（好ましくは発泡スチロール製）等から構成することが好ましい。
【００１０】
前記表示紙４におけるごみ収集分別表示部３は、図１に示すように、ほぼ全体にわたり円図形の態様で表示されている。
【００１１】
円図形の中心部には、ごみの大別を区画表示する第１の円形区分表示部５と、この第１の円形区分表示部５の外側に対し該第１の円形区分表示部に対応する収集方法を区画表示する第２の円形区分表示部６と、この第２の円形区分表示部６の外側に対し第１及び第２の円形区分表示部５、６と関連したごみの各種類をイラストで区画表示する第３の円形区分表示部７と、この第３の円形区分表示部７の外側に対し該第３の円形区分表示部７で表示されたごみの種類を文字で区画表示する第４の円形区分表示部８とを中心から外側に広がる円図形によりそれぞれ表示されている。
【００１２】
前記ごみの大別を区画表示する第１の円形区分表示部５は、資源ごみの表示と該資源ごみ以外のごみが、例えば、「資源」と「ごみ」として区画表示されている。
【００１３】
前記第２の円形区分表示部６は、前記第１の円形区分表示部５の「資源」と「ごみ」表示に対応する収集方法（収集場所）が文字により、例えば、ごみの「ステーション収集」と「戸別収集」として区画表示されている。この場合、前記第１の円形区分表示部５の「資源」の表示区分は「ステーション収集」に、第１の円形区分表示部５の「ごみ」の表示区分は「戸別収集」に関連して区画表示されている。なお、第２の円形区分表示部６の「戸別収集」の表示区分の一部は第１の円形区分表示部５の「資源」の表示区分にも位置されている。
【００１４】
前記第３の円形区分表示部７は、前記第１の円形区分表示部５の「資源」と「ごみ」の表示及び第２の円形区分表示部６の「ステーション収集」と「戸別収集」のに関連したごみの各種類が、例えば、第１の円形区分表示部５の「資源」の表示に対応して「プラスチック製容器包装」と「紙製容器」と「ペットボトル」「空き缶」と「空きビン」と「スプレー缶」の各種類がイラストとして区画表示され、また、第１の円形区分表示部５の「ごみ」の表示に対応して「不燃ごみ」と「可燃ごみ」の各種類がイラストとして区画表示されている。
【００１５】
前記第４の円形区分表示部８は、第３の円形区分表示部７においてイラストとして区画表示されて部位に対応して、これを「プラスチック製容器包装」と「紙製容器」と「ペットボトル」「空き缶」と「空きビン」と「スプレー缶」と「不燃ごみ」と「可燃ごみ」として文字により区画表示されている。
【００１６】
そして、この第４の円形区分表示部８の各区画表示部位には、後述するごみ収集日を色別表示する表示手段に対応する同色に着色して色区分され、該各区画表示部位には、表示のごみに適合するごみ収集袋９が付されている。
【００１７】
前記表示紙４におけるごみ収集分別表示部３の下部には、週間若しくは月表のカレンダ１０（図では週間のカレンダを示す）が設けられており、前記第４の円形区分表示部８の色分けした各区画表示部位と同色のシール等の表示手段１１〜１１を該カレンダ１１の該当日（収集日）に付して当該ごみの収集日を表示可能となしている。
【００１８】
なお、表示紙４におけるごみ収集分別表示部３の下部両側には、「粗大ごみ」と「その他のごみ」としてイラスト及び文字により前述とは別のごみ表示部１２、１２が表示されている。
【００１９】
上述のように構成されたごみ収集分別表１は、円図形の中心部には、ごみの大別を区画表示する第１の円形区分表示部５と、この第１の円形区分表示部５の外側に対し該第１の円形区分表示部に対応する収集方法を区画表示する第２の円形区分表示部６と、この第２の円形区分表示部６の外側に対し第１及び第２の円形区分表示部５、６と関連したごみの各種類をイラストで区画表示する第３の円形区分表示部７と、この第３の円形区分表示部７の外側に対し該第３の円形区分表示部７で表示されたごみの種類を文字で区画表示する第４の円形区分表示部８とを中心から外側に広がる円図形によりそれぞれ表示されている、すなわち、分別すべきごみの大別区分から該大別区分に関係したごみの各種類毎及び収集方法等に区分し、これを中心から広がる円図形により表示することにより、種々のごみの的確な分別処理を使用者に分かり易く認識させることができるものである。
【００２０】
そして、第４の円形区分表示部８の各区画表示部位に当該表示のごみに適合するごみ収集袋９の表示をすること、さらには、表示紙４におけるごみ収集分別表示部３の下部に設けられた週間のカレンダ１０の該当日（収集日）に対して前記第４の円形区分表示部８の色分けした各区画表示部位と同色のシール等の表示手段１１〜１１を付すことにより、当該ごみの収集日を表示することができ、種々のごみの収集日及び収集方法を使用者に分かり易く、的確に認識させることができるものである。
【００２１】
また、ごみ収集分別表１を、矩形状に形成された所望の厚さの台紙２と、該台紙２の表面に対しラミネート加工により一体状に貼着されかつごみ収集分別表示部３が印刷された表示紙４とから構成することにより、その日常的な保管を毀損することなく、簡易なものとすることができる。
【００２２】
なお、上述した実施の形態において、第２の円形区分表示部６、第３の円形区分表示部７、第４の円形区分表示部８のごみの種類の区画は、図示のものに限定されるものではなく、第３の円形区分表示部７におけるイラストにあっても図示のものに限定されるものではない。
【００２３】
また、ごみ収集分別表１の台紙２に孔を明けてごみ収集分別表１全体を家具等に吊下げるようにしてもよく、台紙２裏面にマグネットを設けて冷蔵庫等に吸着状態で取付けるようにしてもよい。
【００２４】
さらに、ごみ収集分別表１の表示紙４の余白部分に企業各、自治体名等を印刷することもできる。
【００２５】
【発明の効果】
請求項１の発明にあっては、ごみの大別区分から該大別区分に関係したごみの各種類毎及び収集方法等に区分し、これを中心から広がる円図形により表示することにより、種々のごみの的確な分別処理を使用者に分かり易く認識させることができる。
【００２６】
請求項２の発明にあっては、種々のごみの収集日及び収集方法を使用者に分かり易く、的確に認識させることができるものである。
【図面の簡単な説明】
【図１】本発明の実施の形態を示し、ごみ収集分別表におけるごみ収集分別表示部の正面図である。
【図２】同じく、ごみ収集分別表の斜視図である。
【符号の説明】
１　ごみ収集分別表
２　台紙
３　ごみ収集分別表示部
４　表示紙
５　第１の円形区分表示部
６　第２の円形区分表示部
７　第３の円形区分表示部
８　第４の円形区分表示部
【図１】
2004046369.tif 000003
【図２】
2004046369.tif 000004